(57)【要約】【課題】任意の画像と同時撮影された他の画像の存在を容易に知ることが可能な電子カメラ、及びそのプログラムを提供する。【解決手段】動画撮影中に撮影された静止画、及び撮影中の動画の記録に際し、双方の画像を、他方の画像を特定するリンク情報と、静止画の撮影タイミングを示す情報とに関連付けて記憶しておく。動画再生中には、その撮影中に撮影されていた静止画があれば、その撮影タイミングを含む前後の再生期間に静止画マークＭ１を表示させて静止画の存在を知らせ、かつその間に所定操作があれば、当該静止画を表示させる。また、静止画の再生時には、その撮影時に撮影されていた動画があれば、動画マークＭ２を表示させて動画の存在を知らせ、所定操作があれば、対応する動画を、再生中の静止画の撮影タイミングに対応する途中の再生箇所から再生させる。【選択図】    図６
2004304425.tif 000002
【特許請求の範囲】
【請求項１】
複数の撮影を同時に行うとともに、各々の撮影により取得した複数の撮影画像を記録する同時撮影機能を備えた電子カメラにおいて、
同時撮影により記録された記録画像の再生に際し、当該再生画像と同時撮影され記録された画像が存在するか否かを判別する判別手段と、
この判別手段により、同時撮影され記録された画像が存在すると判別された場合にその旨を報知する報知手段とを備えたことを特徴とする電子カメラ。
【請求項２】
同時撮影により取得した複数の撮影画像の記録に際し、それら複数の撮影画像うち少なくとも１つの撮影画像に関連付けて所定の情報を記録する所定情報記録手段を備え、
前記判別手段は、再生画像と同時撮影され記録された画像が存在するか否かを、前記所定情報記録手段により再生画像に関連付けられた所定の情報の有無に基づき判別することを特徴とする請求項１記載の電子カメラ。
【請求項３】
前記同時撮影機能は、動画撮影中に静止画撮影を可能とする機能であって、
前記所定情報記録手段は、動画撮影中における静止画撮影により取得された静止画に関連付けて前記所定の情報を記録し、
前記判別手段は、前記静止画の再生に際し、当該静止画と同時撮影され記録された動画が存在するか否かを判別し、
前記報知手段は、前記判別手段により、同時撮影され記録された動画が存在すると判別された場合にその旨を報知することを特徴とする請求項２記載の電子カメラ。
【請求項４】
前記所定情報記録手段は、その撮影中に静止画撮影が行われた動画撮影により取得された動画に関連付けて前記所定の情報を記録し、
前記判別手段は、前記動画の再生に際し、当該動画と同時撮影され記録された静止画が存在するか否かを判別し、
前記報知手段は、前記判別手段により、同時撮影され記録された静止画が存在すると判別された場合にその旨を報知することを特徴とする請求項２又は３記載の電子カメラ。
【請求項５】
前記所定情報記録手段は、その撮影中に静止画撮影が行われた動画撮影により取得された動画に関連付けて、当該動画撮影中における静止画撮影のタイミングを特定するタイミング情報を前記所定の情報として記録し、
前記報知手段は、記録されている動画像の再生に際し、前記タイミング情報により特定されるタイミングに対応する再生箇所の付近を再生している間のみ報知を行うことを特徴とする請求項４記載の電子カメラ。
【請求項６】
同時撮影により取得した複数の撮影画像の記録に際し、それら複数の撮影画像を互いに関連付けて記録する制御手段を備え、
前記判別手段は、再生画像と同時撮影され記録された画像が存在するか否かを、前記制御手段により再生画像と関連付けて記録された画像の有無に基づき判別することを特徴とする請求項１記載の電子カメラ。
【請求項７】
前記同時撮影機能は、動画撮影中に静止画撮影を可能とする機能であって、
前記制御手段は、動画撮影中に静止画撮影が実行された場合、各々の撮影により取得された静止画と動画とを互いに関連付けて記録することを特徴とする請求項６記載の電子カメラ。
【請求項８】
前記報知手段は、同時撮影された他の画像の画像種別を示す種別情報を表示出力する表示手段を含むことを特徴とする請求項１〜７いずれか記載の電子カメラ。
【請求項９】
前記報知手段は、同時撮影された他の画像を特定することが可能な情報を表示出力する表示手段を含むことを特徴とする請求項１〜８いずれか記載の電子カメラ。
【請求項１０】
前記報知手段は、同時撮影された他の画像を前記再生画像とともに表示出力する表示手段を含むことを特徴とする請求項１〜７いずれか記載の電子カメラ。
【請求項１１】
複数の記録画像を同時再生する再生手段を備え、
前記判別手段は、前記再生手段により同時再生される各再生画像に対して同時撮影された画像が存在するか否かを判別し、
前記報知手段は、前記再生手段により同時再生される各再生画像と対応付けて、同時撮影された画像の有無を表示出力する表示手段を含むことを特徴とする請求項１〜８いずれか記載の電子カメラ。
【請求項１２】
前記報知手段は、記録画像の再生に際し、前記判別手段により同時撮影され記録された画像が存在すると判別された場合であって、当該再生画像と同時撮影され記録された画像が複数であるとき、その旨を報知することを特徴とする請求項１〜１１いずれか記載の電子カメラ。
【請求項１３】
同時撮影により取得した複数の撮影画像の記録に際し、それら複数の撮影画像を互いに関連付けて記録させる制御手段を備えたことを特徴とする請求項１記載の電子カメラ。
【請求項１４】
前記同時撮影機能は、動画撮影中に静止画撮影を可能とする機能であって、
前記制御手段は、動画撮影中に静止画撮影が実行された場合、各々の撮影により取得された静止画と動画とを互いに関連付けて記録させることを特徴とする請求項１３記載の電子カメラ。
【請求項１５】
前記制御手段は、同時撮影により記録された記録画像の再生に際し、当該再生画像と互いに関連付けられている記録画像を読み出して再生させることを特徴とする請求項１３又は１４記載の電子カメラ。
【請求項１６】
前記制御手段は、その撮影中に静止画撮影が実行された動画の記録に際し、その静止画撮影のタイミングを特定するタイミング情報を、動画と静止画のうちの少なくともいずれか一方に関連付けて記録させるとともに、同時撮影により記録された静止画の再生に際し、当該静止画と関連付けられている動画を読み出し、当該動画を、前記タイミング情報により特定されるタイミングに対応する再生箇所から再生させることを特徴とする請求項１４記載の電子カメラ。
【請求項１７】
前記制御手段は、同時撮影により記録された記録画像の再生に際し、ユーザーによる所定の手動操作に応答して、当該再生画像と関連付けられている記録画像を読み出して再生させることを特徴とする請求項１５又は１６記載の電子カメラ。
【請求項１８】
前記制御手段は、その撮影中に静止画撮影が実行された動画の記録に際し、その静止画撮影のタイミングを特定するタイミング情報を関連付けて記録させ、
前記報知手段は、記録されている動画像の再生に際し、前記タイミング情報により特定されるタイミングに対応する再生箇所の付近を再生している間のみ報知を行い、
さらに前記制御手段は、前記報知手段により報知が行われている間におけるユーザーによる所定の手動操作に応答して、当該動画と関連付けられている静止画を読み出して再生させることを特徴とする請求項１４記載の電子カメラ。
【請求項１９】
複数の撮影を同時に行うとともに、各々の撮影により取得した複数の撮影画像を記録する同時撮影機能を備えた電子カメラが有するコンピュータに、
同時撮影により記録された記録画像の再生に際し、当該再生画像と同時撮影され記録された画像が存在するか否かを判別する処理と、
同時撮影され記録された画像が存在すると判別した場合にその旨を報知させる処理と
を実行させるためのプログラム。
【発明の詳細な説明】
【０００１】
【発明の属する技術分野】
本発明は、例えば動画撮影中における静止画撮影といった複数の撮影を同時に行うことができる電子カメラに関する。
【０００２】
【従来の技術】
従来、ＣＣＤ等の固体撮像素子が撮像した被写体の画像信号をデジタル信号に変換し、その画像データを記録媒体に記録するデジタルカメラにおいては、通常の静止画撮影機能に加え動画撮影機能を備えたものがある。
【０００３】
また、下記特許文献１，２には、デジタルカメラにおいて動画撮影中に静止画撮影を行う方法が開示されている。特許文献１の方法は、動画撮影中に静止画の撮影操作に応じて、動画フレーム周期で動画フレームを撮像してバッファメモリに記憶する動作を行いながら、次の動画フレームを記録する間に静止画を撮像して記録する、つまり動画撮影処理と静止画撮影処理とを並行して行うものである。
【０００４】
特許文献２の方法は、動画撮影中に静止画の撮影操作があったとき、動画フレームの撮像及び記憶動作をいったん中断し、その間に静止画を撮影して記録した後、動画フレームの撮像及び記憶を再開する、つまり静止画撮影を割り込み処理によって行う。そして、動画撮影が終了した時点では、静止画撮影中に記録できなかった中断期間の動画フレームに対応する補間用のフレームを別途生成して記憶しておき、動画再生時には、中断期間に補間用のフレームを表示させることにより、結果として動画撮影中の静止画撮影を可能とするものである。
【０００５】
【特許文献１】
特開平１１−５５６１７号公報（「００１０」及び「００１１」段落、図２参照）
【０００６】
【特許文献２】
特開平２００１−１１１９３４号公報（「００２９」〜「００３２」段落、図１、図４参照）
【０００７】
【発明が解決しようとする課題】
しかしながら、前述したような電子カメラを用いて動画中撮影中に静止画を同時撮影した場合、例えば撮影後に、ユーザーが、例えば任意の動画についてそれと同時撮影された静止画があるか否かを知りたい場合には、記録されている静止画をいちいち再生して確認しなければならないという問題があった。
【０００８】
本発明は、かかる従来の課題に鑑みてなされたものであり、任意の画像と同時撮影された他の画像の存在を容易に知ることが可能な電子カメラ、及びその実現を可能とするプログラムを提供することを目的とする。
【０００９】
【課題を解決するための手段】
前記課題を解決するために請求項１の発明にあっては、複数の撮影を同時に行うとともに、各々の撮影により取得した複数の撮影画像を記録する同時撮影機能を備えた電子カメラにおいて、同時撮影により記録された記録画像の再生に際し、当該再生画像と同時撮影され記録された画像が存在するか否かを判別する判別手段と、この判別手段により、同時撮影され記録された画像が存在すると判別された場合にその旨を報知する報知手段とを備えたものとした。
【００１０】
かかる構成においては、任意の記録画像の再生時、それと同時撮影され記録された画像が存在すると、その旨が報知される。
【００１１】
また、請求項２の発明にあっては、同時撮影により取得した複数の撮影画像の記録に際し、それら複数の撮影画像うち少なくとも１つの撮影画像に関連付けて所定の情報を記録する所定情報記録手段を備え、前記判別手段は、再生画像と同時撮影され記録された画像が存在するか否かを、前記所定情報記録手段により再生画像に関連付けられた所定の情報の有無に基づき判別するものとした。
【００１２】
かかる構成においては、任意の記録画像の再生時には、所定情報記録手段に記録されている所定の情報の有無に基づき、同時撮影され記録された画像が存在することが報知される。
【００１３】
また、請求項３の発明にあっては、前記同時撮影機能は、動画撮影中に静止画撮影を可能とする機能であって、前記所定情報記録手段は、動画撮影中における静止画撮影により取得された静止画に関連付けて前記所定の情報を記録し、前記判別手段は、前記静止画の再生に際し、当該静止画と同時撮影され記録された動画が存在するか否かを判別し、前記報知手段は、前記判別手段により、同時撮影され記録された動画が存在すると判別された場合にその旨を報知するものとした。
【００１４】
かかる構成においては、任意の静止画の再生時、それと同時撮影され記録された動画が存在すると、その旨が報知される。
【００１５】
また、請求項４の発明にあっては、前記所定情報記録手段は、その撮影中に静止画撮影が行われた動画撮影により取得された動画に関連付けて前記所定の情報を記録し、前記判別手段は、前記動画の再生に際し、当該動画と同時撮影され記録された静止画が存在するか否かを判別し、前記報知手段は、前記判別手段により、同時撮影され記録された静止画が存在すると判別された場合にその旨を報知するものとした。
【００１６】
かかる構成においては、任意の動画の再生時、それと同時撮影され記録された静止画が存在すると、その旨が報知される。
【００１７】
また、請求項５の発明にあっては、前記所定情報記録手段は、その撮影中に静止画撮影が行われた動画撮影により取得された動画に関連付けて、当該動画撮影中における静止画撮影のタイミングを特定するタイミング情報を前記所定の情報として記録し、前記報知手段は、記録されている動画像の再生に際し、前記タイミング情報により特定されるタイミングに対応する再生箇所の付近を再生している間のみ報知を行うものとした。
【００１８】
かかる構成においては、任意の動画の再生時、それと同時撮影され記録された静止画が存在すると、その旨が、静止画の撮影されたタイミングで報知される。
【００１９】
また、請求項６の発明にあっては、同時撮影により取得した複数の撮影画像の記録に際し、それら複数の撮影画像を互いに関連付けて記録する制御手段を備え、前記判別手段は、再生画像と同時撮影され記録された画像が存在するか否かを、前記制御手段により再生画像と関連付けて記録された画像の有無に基づき判別するものとした。
【００２０】
かかる構成においては、任意の記録画像の再生時、それと関連付けられて記憶された画像、つまり同時撮影された画像が存在すると、その旨が報知される。
【００２１】
また、請求項７の発明にあっては、前記同時撮影機能は、動画撮影中に静止画撮影を可能とする機能であって、前記制御手段は、動画撮影中に静止画撮影が実行された場合、各々の撮影により取得された静止画と動画とを互いに関連付けて記録するものとした。
【００２２】
かかる構成においては、任意の静止画又は動画の再生時、それと関連付けられて記憶された動画又は静止画、つまり同時撮影された画像が存在すると、その旨が報知される。
【００２３】
また、請求項８の発明にあっては、前記報知手段は、同時撮影された他の画像の画像種別を示す種別情報を表示出力する表示手段を含むものとした。
【００２４】
かかる構成においては、任意の記録画像の再生時、それと同時撮影された画像が記録されていると、その旨が、その画像の種類と共に報知される。
【００２５】
また、請求項９の発明にあっては、前記報知手段は、同時撮影された他の画像を特定することが可能な情報を表示出力する表示手段を含むものとした。
【００２６】
かかる構成においては、任意の記録画像の再生時、それと同時撮影された画像が記録されていると、その旨が、その画像を特定することが可能な情報と共に報知される。
【００２７】
また、請求項１０の発明にあっては、前記報知手段は、同時撮影された他の画像を前記再生画像とともに表示出力する表示手段を含むものとした。
【００２８】
かかる構成においては、任意の記録画像の再生時、それと同時撮影された画像が記録されていると、その旨が、その画像の表示と共に報知される。
【００２９】
また、請求項１１の発明にあっては、複数の記録画像を同時再生する再生手段を備え、前記判別手段は、前記再生手段により同時再生される各再生画像に対して同時撮影された画像が存在するか否かを判別し、前記報知手段は、前記再生手段により同時再生される各再生画像と対応付けて、同時撮影された画像の有無を表示出力する表示手段を含むものとした。
【００３０】
かかる構成においては、複数の記録画像の再生時、各々の画像について、それと同時撮影された画像が記録されていると、その旨が報知される。
【００３１】
また、請求項１２の発明にあっては、前記報知手段は、記録画像の再生に際し、前記判別手段により同時撮影され記録された画像が存在すると判別された場合であって、当該再生画像と同時撮影され記録された画像が複数であるとき、その旨を報知するものとした。
【００３２】
かかる構成においては、任意の記録画像の再生時、それと同時撮影され記録された画像が存在するとともに、それが複数であるときには、その旨が報知される。
【００３３】
また、請求項１３の発明にあっては、同時撮影により取得した複数の撮影画像の記録に際し、それら複数の撮影画像を関連付けて記録させる制御手段を備えたものとした。
【００３４】
かかる構成においては、任意の記録画像の再生時には、その画像に関連付けて記録されている画像、つまり同時撮影された画像があれば、それを特定して呼び出すことが可能となる。
【００３５】
また、請求項１４の発明にあっては、前記同時撮影機能は、動画撮影中に静止画撮影を可能とする機能であって、前記制御手段は、動画撮影中に静止画撮影が実行された場合、各々の撮影により取得された静止画と動画とを互いに関連付けて記録させるものとした。
【００３６】
かかる構成においては、任意の動画又は静止画の再生時には、その画像に関連付けて記録されている画像、つまり同時撮影された静止画又は動画があれば、それを特定して呼び出すことが可能となる。
【００３７】
また、請求項１５の発明にあっては、前記制御手段は、同時撮影により記録された記録画像の再生に際し、当該再生画像と関連付けられている記録画像を読み出して再生させるものとした。
【００３８】
かかる構成においては、任意の記録画像の再生時には、その画像に関連付けて記録されている画像、つまり同時撮影された画像があったとき、それを直ちに再生することができる。
【００３９】
また、請求項１６の発明にあっては、前記制御手段は、その撮影中に静止画撮影が実行された動画の記録に際し、その静止画撮影のタイミングを特定するタイミング情報を、動画と静止画のうちの少なくともいずれか一方に関連付けて記録させるとともに、同時撮影により記録された静止画の再生に際し、当該静止画と関連付けられている動画を読み出し、当該動画を、前記タイミング情報により特定されるタイミングに対応する再生箇所から再生させるものとした。
【００４０】
かかる構成においては、静止画の再生時には、それと同時撮影されていた動画があったとき、その動画を当該静止画の撮影タイミングに対応する再生箇所から再生することができる。
【００４１】
また、請求項１７の発明にあっては、前記制御手段は、同時撮影により記録された記録画像の再生に際し、ユーザーによる所定の手動操作に応答して、当該再生画像と関連付けられている記録画像を読み出して再生させるものとした。
【００４２】
かかる構成においては、任意の記録画像の再生時には、その画像に関連付けて記録されている画像、つまり同時撮影された画像があったとき、ユーザーによる所定の手動操作があれば、その画像が再生される。
【００４３】
また、請求項１８の発明にあっては、前記制御手段は、その撮影中に静止画撮影が実行された動画の記録に際し、その静止画撮影のタイミングを特定するタイミング情報を関連付けて記録させ、前記報知手段は、記録されている動画像の再生に際し、前記タイミング情報により特定されるタイミングに対応する再生箇所の付近を再生している間のみ報知を行い、さらに前記制御手段は、前記報知手段により報知が行われている間におけるユーザーによる所定の手動操作に応答して、当該動画と関連付けられている静止画を読み出して再生させるものとした。
【００４４】
かかる構成においては、動画の再生時には、それと同時撮影されていた静止画があったとき、それが記録されていることを、その静止画の撮影タイミングに対応する再生箇所の付近を再生している間のみ報知され、しかも、その間にユーザーによる所定の手動操作があれば、同時撮影された静止画が再生される。
【００４５】
また、請求項１９の発明にあっては、複数の撮影を同時に行うとともに、各々の撮影により取得した複数の撮影画像を記録する同時撮影機能を備えた電子カメラが有するコンピュータに、同時撮影により記録された記録画像の再生に際し、当該再生画像と同時撮影され記録された画像が存在するか否かを判別する処理と、同時撮影され記録された画像が存在すると判別した場合にその旨を報知させる処理とを実行させるためのプログラムとした。
【００４６】
【発明の実施の形態】
以下、本発明の一実施の形態を図にしたがって説明する。図１は、通常の静止画撮影機能と動画撮影機能を備えるとともに、動画撮影中における静止画撮影が可能な電子スチルカメラ１の概略構成を示すブロック図である。電子スチルカメラ１は、ＣＣＤ２とＤＳＰ／ＣＰＵ３とを有している。ＤＳＰ／ＣＰＵ３は、画像データの圧縮・伸張処理を含む各種のデジタル信号処理機能を有するとともに電子スチルカメラ１の各部を制御するワンチップマイコンである。
【００４７】
ＤＳＰ／ＣＰＵ３には、ＣＣＤ２を駆動するＴＧ（Ｔｉｍｉｎｇ  Ｇｅｎｅｒａｔｏｒ）４が接続されており、ＴＧ４には、ＣＣＤ２から出力される被写体の光学像に応じたアナログの撮像信号が入力するユニット回路５が接続されている。ユニット回路５は、ＣＣＤ２から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、その撮像信号を増幅するゲイン調整アンプ（ＡＧＣ）、増幅後の撮像信号をデジタル信号に変換するＡ／Ｄ変換器（ＡＤ）から構成されており、ＣＣＤ２の出力信号はユニット回路５を経てデジタル信号としてＤＳＰ／ＣＰＵ３に送られる。
【００４８】
ＤＳＰ／ＣＰＵ３には、表示装置６、キー入力部７が接続されるとともに、アドレス・データバス８を介してＤＲＡＭ９、内蔵フラッシュメモリ１０、カード・インターフェイス１１が接続されており、カード・インターフェイス１１には、電子スチルカメラ１の本体の図示しないスロットルに装着された着脱自在なメモリ・カード１２が接続されている。メモリ・カード１２は、撮影された静止画や動画のデータを記憶する画像記憶手段であるとともに、本実施の形態においては、それらと共に後述するリンク情報を記憶することにより本発明の所定情報記録手段としても機能する。
【００４９】
表示装置６はカラーＬＣＤとその駆動回路とを含み、撮影待機状態にあるときにはＣＣＤ２によって撮像された被写体画像をスルー画像として表示し、記録画像の再生時には保存用メモリであるメモリ・カード１２から読み出され伸張された記録画像（静止画又は動画）を表示する。また、記録画像の再生時には、必要に応じて後述する静止画マークＭ１や動画がマークＭ２を表示することにより、本発明の報知手段、表示手段として機能する。
【００５０】
キー入力部７はシャッターボタン、動画撮影に使用する録画開始／終了ボタン、記録画像の再生時に使用されるリンクファイルの呼び出しキー、電源キー、ＭＥＮＵキー等の複数の操作キーを含み、使用者によるキー操作に応じたキー入力信号をＤＳＰ／ＣＰＵ３に出力する。なお、リンクファイルの呼び出しキーは、シャッターボタン等との併用されるものであっても構わない。
【００５１】
ＤＲＡＭ９は、ＣＣＤ２により撮像された後、デジタル化された被写体の画像データ等を一時記憶するバッファメモリであるとともに、ＤＳＰ／ＣＰＵ３のワーキングメモリとしても使用される。ＤＲＡＭ９に一時記憶された画像データは、例えばシャッターボタンが押された静止画撮影時には、ＤＳＰ／ＣＰＵ３により圧縮・伸張処理を含む各種のデジタル信号処理が行われた後、最終的には、ＪＰＥＧ等の所定のフォーマット形式の画像ファイルとしてメモリ・カード１２に記録される。
【００５２】
内蔵フラッシュメモリ１０には、ＤＳＰ／ＣＰＵ３による各部の制御に必要な制御プログラム、すなわちＡＦ（オートフォーカス制御）やＡＥ（自動露出制御）等を含む各種の制御に必要なプログラム、及び各制御に必要なデータが記憶されており、ＤＳＰ／ＣＰＵ３は前記プログラムに従い動作することにより、本発明の判別手段、制御手段として機能する。
【００５３】
次に、以上の構成からなる電子スチルカメラ１における動作を説明する。図２及び図３は、ユーザーがＭＥＮＵキーの操作によって所定の撮影モードを設定したときのＤＳＰ／ＣＰＵ３の処理手順を示すフローチャートである。
【００５４】
ＤＳＰ／ＣＰＵ３は、上記撮影モードが設定されると、ＣＣＤ２による撮像を開始して被写体のスルー画像を表示装置６に表示させ（ステップＳＡ１）、録画開始ボタンの操作や、シャッターボタンの操作があるまでの間、スルー画像の表示処理を繰り返す（ステップＳＡ２，ＳＡ３が共にＮＯ）。
【００５５】
その間に、シャッターボタンが押されると（ステップＳＡ２でＮＯ、ＳＡ３でＹＥＳ）、通常の静止画撮影モードに移行し、ＡＦ及びＡＥ動作による撮影条件の設定、ＣＣＤ２による被写体画像の記録用の撮像といった静止画撮影処理を開始する（ステップＳＡ４）。そして、係る処理が完了したら（ステップＳＡ５でＹＥＳ）、バッファメモリ（ＤＲＡＭ９）上で静止画ファイルを生成し、それをメモリ・カード１２に記録した後（ステップＳＡ６）、ステップＳＡ１へ戻りスルー画像を表示する。
【００５６】
また、スルー画像を表示する間に、録画開始ボタンが押されたら（ステップＳＡ２でＹＥＳ）、動画撮影モードに移行し、所定のフレームレート（１／３０秒等の固定周期）で画像（動画フレーム）を撮像し記憶する動画撮影処理を開始するとともに（ステップＳＡ７）、内部クロックのクロック信号に基づいた動画撮影時間の計測を開始する（ステップＳＡ８）。なお、動画撮影処理における動画フレームの撮像に際しては、ＣＣＤ２に、比較的短い出力タイミングで１画面中の奇数ラインの画素信号のみを出力させ、その奇数ラインの画素データをバッファメモリ（ＤＲＡＭ９）に取り込み、取り込んだ画像データを所定の画素数に間引く処理を行う。以後、シャッターボタンが押されたり、録画終了ボタンが押されるまでは動画記録処理を継続する（ステップＳＡ９，ＳＡ１５が共にＮＯ）。
【００５７】
そして、上記の動画記録処理を行う間にシャッターボタンが押された場合には（ステップＳＡ９でＹＥＳ）、割込み処理による静止画撮影モードに移行し、以下に述べるステップＳＡ１４までの処理を実行する。まずシャッターボタンが押された時点で通常の動画記録処理を一時停止して、直前のフレーム画像を繰り返し使用する動画記録処理に切り替える（ステップＳＡ１０）。つまり後述する割り込みによる静止画撮影処理が完了するまでの間に所定のフレームレートでバッファメモリに蓄積すべきフレームデータを、撮像により得られるフレームデータから、シャッターボタンが押される直前に蓄積したフレームデータのコピーである代替フレームとする動画記録処理に切り替える。
【００５８】
引き続き、ステップＳＡ４と同様の静止画撮影処理を開始した後（ステップＳＡ１１）、それが完了したら（ステップＳＡ１２でＹＥＳ）、バッファメモリ上において、図４（ａ）に示したデータを含む静止画ファイル１０１を生成し、それをメモリ・カード１２に記録する（ステップＳＡ１３）。ここではファイル名１０１ａと圧縮後の静止画データ１０１ｂに加え、その時点で記録中の動画を示すリンク情報、すなわち当該動画に割り当てるファイル名と同一のリンク動画ファイル名１０１ｃと、動画の撮影開始時点から計測されている時間（経過時間）である静止画撮影時間１０１ｄを含む静止画ファイル１０１を生成して記録する。なお、前述したステップＳＡ６で生成し記録する静止画ファイルは上記リンク情報を含まないファイルである。さらに、ステップＳＡ１０で切り換えた動画撮影処理を通常の動画撮影処理に戻して（ステップＳＡ１４）、動画撮影を続行する。
【００５９】
やがて、その間に録画終了ボタンが押されたら（ステップＳ１５でＹＥＳ）、動画撮影処理及び動画撮影時間の計測を停止する（ステップＳＡ１６，ＳＡ１７）。そして、動画撮影中に前述した割込みによる静止画撮影がなかったときには（ステップＳＡ１８でＮＯ）、それまでの間にバッファメモリ上に展開されている動画データ、すなわち周期的に撮像された複数のフレーム画像からなる動画データを用いて動画ファイル（ｍｏｔｉｏｎ−ｊｐｅｇ形式等のファイル）を生成し、メモリ・カード１２に記録する（ステップＳＡ１９）。つまり通常の動画撮影モードでの処理と同様の動画ファイルを記録する。
【００６０】
一方、動画撮影中に静止画像の割込み撮影があったときには（ステップＳＡ１８でＹＥＳ）、図４（ｂ）に示したデータを含む動画ファイル１０２を生成し、それをメモリ・カード１２に記録する（ステップＳＡ２０）。ここではファイル名１０２ａと圧縮後の動画データ１０２ｂに加え、割込み撮影により記録されている前記静止画ファイル１０１を示すリンク情報、すなわち同図（ａ）に示したファイル名と同一のリンク静止画ファイル名１０２ｃ、及び静止画撮影時間１０２ｄからなるリンク情報を前記静止画ファイル１０１の数だけ含む動画ファイル１０２を生成して記録する。なお、前述したステップＳＡ１９で生成し記録する動画ファイルは上記リンク情報を含まないファイルである。そして、以上の動作により動画撮影処理をいったん終了してステップＳ１へ戻り、以後は前述した処理を繰り返す。
【００６１】
また、図５は、ユーザーがＭＥＮＵキーの操作によって再生モードを設定したときのＤＳＰ／ＣＰＵ３の処理手順を示すフローチャートである。
【００６２】
ＤＳＰ／ＣＰＵ３は、再生モードが設定されると、メモリ・カード１２に記録されている静止画及び動画の中から表示させたい画像をユーザーに選択させる（ステップＳＢ１）。具体的には、例えば表示装置６の画面上に記録画像を一覧表示して、所定のキー操作により任意の画像を選択させたり、記録画像を手動操作に応じて順次切換表示させることにより任意の画像を選択させる。なお、記録されている全画像等を自動的に連続して表示させるスライドショウ機能がユーザーにより選択された場合には、表示開始操作に伴いＤＳＰ／ＣＰＵ３は表示すべき画像を所定の順に自動的に選択する。
【００６３】
そして、ユーザーにより選択された画像が動画であったときには（ステップＳＢ２でＹＥＳ）、選択された動画ファィルをメモリ・カード１２から読出し、動画の再生を開始し、動画データとして記録されている複数枚のフレーム画像をＤＲＡＭ９に展開するとともに、展開したフレーム画像を所定のフレームレートで表示装置６の画面上に順に表示させる（ステップＳＢ３）。これに伴い、表示装置６の画面上には、例えば図６（ａ）に示したようなフレーム画像Ｆ１が表示される。
【００６４】
また、動画再生中においてＤＳＰ／ＣＰＵ３は、再生時間が、動画ファイル１０２にリンク情報として埋め込まれている静止画撮影時間１０２ｄの５秒前になったか否かを確認し、５秒前になるまでは（ステップＳＢ４でＮＯ）、そのまま動画の再生処理を継続する。また、再生中の動画ファイルにリンク情報が埋め込まれていない場合にはステップＳＢ４の判別結果が常にＮＯとなり、そのまま動画の再生処理を継続し、動画再生が終了した時点で（ステップＳＢ９でＹＥＳ）、自動的に画像の再生動作を終了し（ユーザーによる終了操作を待ってからとしてもよい。）、ステップＳＢ１へ戻り、ユーザーに他の画像を選択させる。
【００６５】
一方、リンク情報が埋め込まれている動画ファイルの再生中においては、再生時間が５秒前になったら（ステップＳＢ４でＹＥＳ）、表示装置６の画面上に、図６（ｂ）に示したように、その時点で表示しているフレーム画像Ｆ２に重ねて静止画マークＭ１を表示させる（ステップＳＢ５）。以後、ユーザーによりリンクファイルの呼び出しキーの操作がなければ（ステップＳＢ６でＮＯ）、係る静止画マークＭ１を１０秒間、すなわち再生時間が静止画撮影時間１０２ｄの５秒後となるまで表示し（ステップＳＢ７がＮＯ）、５秒後となった時点でその表示を停止する（ステップＳＢ８）。
【００６６】
また、静止画マークＭ１を表示している間に、ユーザーによるリンクファイルの呼び出しキーの操作があれば（ステップＳＢ６でＹＥＳ）、その時点で動画再生を中止して、静止画撮影時間１０２ｄと対をなして動画ファイル１０２に埋め込まれているリンク静止画ファイル名１０２ｃに対応する静止画ファイル、つまり現在再生している動画の撮影中であって、その時点で表示されている動画（Ｆ２）と相前後するタイミング（前の５秒間又は後の５秒間）で割込み撮影された静止画のファイルを自動的に選択してメモリ・カード１２から読出し（ステップＳＢ１０）、ステップＳＢ１４以降の処理を実行する。
【００６７】
ステップＳＢ１４では、読出した静止画ファイルに基づき静止画を再生して表示装置６に表示させるとともに、図６（ｃ）に示したように、再生した静止画Ｓに重ねて動画マークＭ２を表示させる（ステップＳＢ１４）。引き続き、ユーザーによってリンクファイルの呼び出しキーの操作、または静止画再生の終了操作があるまで、静止画Ｓ及び動画マークＭ２の表示を続け（ステップＳＢ１５，ＳＢ１３が共にＮＯ、ステップＳＢ１１がＹＥＳ）、その間に静止画再生の終了操作があれば（ステップＳＢ１３でＹＥＳ）、その時点で画像の再生動作をいったん終了し、ステップＳＢ１へ戻り、ユーザーに他の画像を選択させる。
【００６８】
また、静止画Ｓ及び動画マークＭ２を表示しているとき、ユーザーによりリンクファイルの呼び出しキーが操作されたときには（ステップＳＢ１５でＹＥＳ）、まず表示中の静止画Ｓのファイルにリンク情報として埋め込まれているリンク動画ファイル名１０１ｃに対応する動画ファイル、ここでは静止画Ｓを表示する以前に表示していた動画のファイルを自動的に選択してメモリ・カード１２から読出す（ステップＳＢ１６）。次に、リンク動画ファイル名１０１ｃと共に埋め込まれている静止画撮影時間１０１ｄを確認するとともに、読み出した動画ファイル１０２における前記静止画撮影時間１０１ｄに示される再生時間に対応するフレームＦ３（図６（ｄ））からの動画再生を開始する。つまり、静止画Ｓが撮影された後に撮影された部分であって、ここでは、静止画Ｓの表示に際して中止された動画の残りの部分についての動画再生を開始し、同時に図６（ｄ）に示したように静止画マークＭ１を再び重ねて表示させる（ステップＳＢ１７）。
【００６９】
しかる後、前述したステップＳＢ７に戻り、５秒経過後に静止画マークＭ１を消去する（ステップＳＢ７でＹＥＳ、ステップＳＢ８）。それ以後は、ここで再生中の動画ファイルに他のリンク情報があれば、前述したステップＳＢ４〜ＳＢ７の処理により、所定期間だけ静止画マークＭ１を表示させ、かつその間にユーザーによるリンクファイルの呼び出しキーの操作があれば、動画再生を中止して他のリンク情報により示される静止画を表示する。また、他のリンク情報がなければ、残りの部分の動画再生が終了し時点で（ステップＳＢ９でＹＥＳ）、自動的に（又はユーザーの終了操作を待ってから）画像の再生動作をいったん終了し、ステップＳＢ１へ戻り、ユーザーに他の画像を選択させる。
【００７０】
さらに、以上の処理とは別に、ステップＳＢ１でユーザーに選択された画像が静止画であった場合には（ステップＳＢ２でＮＯ）、まず選択された静止画のファイルに前述したリンク動画ファイル名１０１ｃ（図４（ａ）参照）が埋め込まれているか否かを判別する（ステップＳＢ１１）。そして、係る判別の結果がＮＯであったときには通常の静止画再生を行った後（ステップＳＢ１２）、ユーザーによる静止画の再生終了操作を待って（又は所定時間の経過を待って）、手動又は自動で画像の再生動作をいったん終了し、ステップＳＢ１へ戻り、ユーザーに他の画像を選択させる。
【００７１】
また、ステップＳＢ１１の判別結果がＹＥＳであって、選択された静止画のファイルにリンク動画ファイル名１０１ｃが埋め込まれていたときには、静止画を再生するとともに、それに重ねて動画マークＭ２を表示させた後（ステップＳＢ１４）、前述したステップＳＢ１５以降の処理を実施する。すなわち、当該静止画の再生を終了する以前に、ユーザーによるリンクファイルの呼び出しキーの操作があれば、リンク動画ファイル名１０１ｃにより示されている動画の再生を、静止画撮影時間１０１ｄ（図４（ａ）参照）に示されたタイミングに対応する再生箇所（途中）から再生する処理に移行する。以後、前述した各処理を実行する。
【００７２】
以上のように本実施の形態の電子スチルカメラ１によれば、ユーザーは、動画の再生中において、その動画の撮影中に撮影されていた（同時撮影された）静止画がある場合、静止画マークＭ１が画面表示されることによって、その静止画の存在、さらにはその静止画の撮影時期についても知ることができる。したがって、動画と同時撮影された静止画が存在するか否かを簡単に知ることができる。
【００７３】
しかも、静止画マークＭ１が画面表示される間には、リンクファイルの呼び出しキーを操作することによって、同時撮影された静止画を直ちに再生することができる。したがって必要な場合にのみ静止画を再生することができ、使い勝手もよい。特に動画の撮影中に撮影されていた静止画が多数存在している場合には、その効果が顕著である。
【００７４】
さらにユーザーは、静止画の再生中において、その静止画の撮影時に撮影中であった（同時撮影された）動画がある場合、動画マークＭ２が画面表示されることによって、その動画の存在を知ることができる。したがって、静止画と同時撮影された動画が存在するか否かも簡単に知ることができる。特に、複数の静止画の各々について同時撮影された動画を知りたい場合には、その効果が顕著である。
【００７５】
しかも、動画マークＭ２が画面表示される間には、リンクファイルの呼び出しキーを操作することによって、同時撮影されていた動画を直ちに再生することができる。したがって必要な場合にのみ動画を再生することができ、使い勝手もよい。さらには、同時撮影されていた動画を、自動的に静止画の撮影タイミングに対応する途中の再生箇所から再生することができるため、静止画がどの様な時期に撮影されたのかも知ることができ、便利である。
【００７６】
ここで、以上説明した本実施の形態では、動画撮影中に静止画撮影を行う手法として、動画撮影中に静止画撮影が指示された場合に動画撮影処理を一時中断して静止画撮影処理を実行する（割込み撮影を行う）ことにより同時撮影を可能にする手法を用いた場合について説明したが、動画撮影処理を中断することなく静止画撮影処理を並行して実行する手法を用いてもよい。動画撮影処理と静止画撮影処理を並行して実行する手法の一例としては、動画撮影中に静止画撮影が指示された場合に指示タイミングのフレーム画像を動画中から抽出して静止画像として記録することにより同時撮影を可能にするカメラや、静止画撮影用の撮像素子と動画撮影用の撮像素子とを別個に設けることにより同時撮影を可能にするカメラが考えられる。
【００７７】
また、本実施の形態では、静止画ファィル１０１、動画ファイル１０２（以下、双方を合わせて画像ファイルという。）にリンク情報としてリンクファイル名（前者ではリンク動画ファイル名１０１ｃ、後者ではリンク静止画ファイル名１０２ｃ）を埋め込むようにしたが、リンクファイル（静止画ファィル１０１又は動画ファイル１０２）の有無がわかる程度のフラグ情報を埋め込むようにしてもよい。この場合、再生対象の画像ファイル中にフラグ情報が記憶されている場合に再生画像上に動画マークや静止画マークを表示することになる。但し、この場合、双方の画像ファイルを自動的に呼び出すことはできない。
【００７８】
また、本実施の形態では、静止画ファィル１０１、動画ファイル１０２の双方にリンクファイル名（又はフラグ情報）を埋め込むようにしたが、いずれか一方のみでもよい。
【００７９】
また、本実施の形態では、リンク情報（リンク動画ファイル名１０１ｃ、リンク静止画ファイル名１０２ｃ）や静止画撮影時間１０１ｄ，１０２ｄを画像ファイル中に埋め込むようにしたが、画像ファイル以外に別個に管理ファイルを作成してリンク情報、静止画撮影時間、リンクファイルの有無等を記憶するようにしたり、リンクさせる静止画ファイルと動画ファイルのファイル名を同じとすることによりリンクさせるようにしてもよい。また、静止画の撮影日時、動画の撮影開始日時及び撮影終了日時を記憶するようにし、この動画の撮影開始日時と撮影終了日時との間に静止画の撮影日時が含まれているか否かを判断することにより動画と静止画とのリンク関係を判断するようにしてもよい。このように構成した場合、撮影記録時に特別な処理を行う必要がなくなる。
【００８０】
また、本実施の形態では、動画再生中、静止画撮影タイミングの前後（５秒間）でのみ静止画マークＭ１を表示させ、リンクする静止画ファイルを呼び出せるようにしたが、動画再生中、常時静止画マークＭ１を表示させ、常時リンクする静止画ファイルを呼び出せるようにしてもよい。この場合、静止画撮影時間を画像ファイル中に埋め込む必要が無くなる。但し、その場合には、ＤＳＰ／ＣＰＵ３を本発明の再生手段として機能させ、１つの動画ファイルにリンクする静止画ファイルが複数ある場合は、再生動画上にリンク静止画像のサムネイル画像（縮小画像）を静止画アイコンとして複数表示させ、ユーザに選択させるか、あるいはリンクする複数の静止画ファイルを順次読み出してマルチ画面表示したりスライドショー（又はオートスクロール）表示するといった工夫が必要になる。また、その際に表示するのは静止画アイコンや静止画以外にも、例えば静止画ファイル名や、画像番号でもあってもよく、要はリンクする複数の静止画を特定する（識別可能とする）ことができる情報であれば他の情報でもよい。
【００８１】
また、本実施の形態では、動画マークＭ２が表示されている静止画再生中にリンクファイル呼出キーが操作されると、その静止画の撮影時間である動画の途中から動画再生を開始するようにしたが、動画の最初から動画再生を開始するようにしてもよい。この場合、静止画撮影時間を画像ファイル中に埋め込む必要が無くなる。
【００８２】
また、本実施の形態では、画像ファイル中にリンク動画ファイル名１０１ｃ、１０２ｃと共に、動画の撮影開始からの経過時間を示す静止画撮影時間１０１ｄ，１０２ｄを埋め込むようにしたが、動画撮影開始時刻、静止画撮影時刻、静止画撮影時における動画撮影開始からの動画フレーム数等を記憶するようにし、画像再生時、これらの情報を基にして動画中の静止画撮影タイミングを判断するようにしてもよい。
【００８３】
また、本実施の形態では、動画又は静止画の再生画像上に静止画マークＭ１や動画マークＭ２を表示させることによりリンク画像の存在を知らせるようにしたが、静止画マークＭ１や動画マークＭ２に代えてリンク画像のサムネイル画像を再生画像上の一部に表示させることによりリンク画像の存在を知らせるようにしたり、静止画マークＭ１や動画マークＭ２に代えて又は加えてリンクファイル名、画像番号等の、リンク画像を特定することが可能な情報を表示させることによりリンク画像の存在を知らせるようにしたり、メッセージ表示、画像強調、音響出力、ＬＥＤ点灯等の他の報知手段を用いてリンク画像の存在を知らせるようにしてもよい。
【００８４】
また、本実施の形態では、画像再生中にリンク画像の存在をユーザに知らせ、その後、ユーザが手動操作を行った場合にリンクする画像ファイルを呼び出せるようにしたが、再生中の画像にリンク画像がある場合、自動的にリンク画像を呼び出し、子画面表示させるようにしてもよい。
【００８５】
また、本実施の形態では、再生モードにおいて静止画像や動画像を１つのみ単独表示させるようにしたが、静止画像や動画像をマルチ画面表示（一覧表示）させ、各画像上に静止画マークＭ１や動画マークＭ２を表示させるようにしてもよい。このようにすると、リンク画像の有無が一目でかわると同時にリンク画像をすぐに呼び出すことが可能になる。
【００８６】
また、本実施の形態では、動画撮影中に静止画撮影した場合に得られる動画像と静止画像に対して本発明を適用した場合について説明したが、例えば、ＣＣＤ等の撮像素子を２つ設け、この２つの撮像素子による同時撮影により得られる２つの静止画像又は２つの動画像に対して本発明を適用するようにしてもよい。この場合、２つの撮像素子により異なる解像度、異なる画角、異なる撮影範囲の撮影を同時に行ない、得られた複数の画像を関連付けて記録するといったことが考えられる。
【００８７】
さらに、撮像素子を３つ以上設け、それら複数の撮像素子による同時撮影により得られる３以上の静止画像又は動画像や、静止画像と動画像とが混在する３以上の画像に対して本発明を適用するようにしてもよい。
【００８８】
また、本実施の形態では、動画撮影機能付き電子スチルカメラに本発明を適用したが、静止画撮影機能付きムービーカメラ、カメラ付き携帯電話、カメラ付きＰＤＡ、カメラ付きパソコン等でもよく、要は、同時撮影機能を備えた機器であれば本発明を適用することができる。
【００８９】
【発明の効果】
以上説明したように請求項１の本発明においては、任意の記録画像の再生時、それと同時撮影された画像が記録されていると、その旨が報知されるようにした。よって、任意の画像の再生時には、それと同時撮影された他の画像の存在を容易に知ることが可能となる。
【００９０】
また、請求項２の発明においては、任意の記録画像の再生時には、所定情報記録手段に記録されている所定の情報の有無に基づき、同時撮影された画像が存在することが報知されるようにした。よって、任意の画像の再生時には、それと同時撮影された他の画像の存在を容易に知ることが可能となる。
【００９１】
また、請求項３の発明においては、任意の静止画の再生時、それと同時撮影された動画が記録されていると、その旨が報知されるようにした。よって、任意の静止画の再生時には、それと同時撮影された動画の存在を容易に知ることが可能となる。
【００９２】
また、請求項４の発明においては、任意の動画の再生時、それと同時撮影され記録された静止画が存在すると、その旨が報知されるようにした。よって、任意の動画の再生時には、それと同時撮影された静止画の存在を容易に知ることが可能となる。
【００９３】
また、請求項５の発明においては、任意の動画の再生時、それと同時撮影された静止画が記録されていると、その旨が、静止画の撮影されたタイミングで報知されるようにした。よって、同時撮影された静止画の有無と同時に、それがいつ撮影されたのかを知ることができ、使い勝手が向上する。
【００９４】
また、請求項６の発明においては、任意の記録画像の再生時、それと関連付けられて記憶された画像、つまり同時撮影された画像が存在すると、その旨が報知されるようにした。よって、任意の画像の再生時には、それと同時撮影された他の画像の存在を容易に知ることが可能となる。
【００９５】
また、請求項７の発明においては、任意の静止画又は動画の再生時、それと関連付けられて記憶された動画又は静止画、つまり同時撮影された画像が存在すると、その旨が報知されるようにした。よって、同時撮影された静止画又は動画の双方のうちのいずれの画像の再生時でも、同時撮影された画像の存在を容易に知ることが可能となり、使い勝手が向上する。
【００９６】
また、請求項８の発明においては、任意の記録画像の再生時、それと同時撮影された画像が記録されていると、その旨が、その画像の種類と共に報知されるようにした。よって、任意の画像の再生時には、それと同時撮影された他の画像の存在を、その画像の種類と共に容易に知ることが可能となる。
【００９７】
また、請求項９の発明においては、任意の記録画像の再生時、それと同時撮影された画像が記録されていると、その旨が、その画像を特定することが可能な情報と共に報知されるようにした。よって、同時撮影された画像をより具体的に知ることができ、さらに使い勝手が向上する。
【００９８】
また、請求項１０の発明においては、任意の記録画像の再生時、それと同時撮影された画像が記録されていると、その旨が、その画像の表示と共に報知されるようにした。よって、同時撮影された画像の内容を直接知ることができ、一層使い勝手が向上する。
【００９９】
また、請求項１１の発明においては、複数の記録画像の再生時、各々の画像について、それと同時撮影された画像が記録されていると、その旨が報知されるようにした。よって、複数の画像の再生時には、各々の画像について、それと同時撮影された他の画像の存在を容易に、しかも一度に知ることが可能となり、より一層使い勝手が向上する。
【０１００】
また、請求項１２の発明においては、任意の記録画像の再生時、それと同時撮影され記録された画像が存在するとともに、それが複数であるときには、その旨が報知されるようにした。よって、さらに使い勝手が向上する。
【０１０１】
また、請求項１３の発明においては、任意の記録画像の再生時には、その画像に関連付けて記録されている画像、つまり同時撮影された画像があれば、それを特定して呼び出すことが可能となる。
【０１０２】
また、請求項１４の発明においては、任意の動画又は静止画の再生時には、その画像に関連付けて記録されている画像、つまり同時撮影された静止画又は動画があれば、それを特定して呼び出すことが可能となる。
【０１０３】
また、請求項１５の発明においては、任意の記録画像の再生時には、その画像に関連付けて記録されている画像、つまり同時撮影された画像があったとき、それを直ちに再生することができるようにした。よって、使い勝手が向上する。
【０１０４】
また、請求項１６の発明においては、静止画の再生時には、それと同時撮影されていた動画があったとき、その動画を当該静止画の撮影タイミングに対応する再生箇所から再生することができるようにした。よって、さらに使い勝手が向上する。
【０１０５】
また、請求項１７の発明においては、任意の記録画像の再生時には、その画像に関連付けて記録されている画像、つまり同時撮影された画像があったとき、ユーザーによる所定の手動操作があれば、その画像が再生されるようにした。よって、任意の記録画像の再生時には、ユーザが報知により同時撮影された画像の存在を知った後、ユーザーが必要とする場合のみ、それと同時撮影された記録画像を再生することが可能となり、一層使い勝手が向上する。
【０１０６】
また、請求項１８の発明においては、動画の再生時には、それと同時撮影されていた静止画があったとき、それが記録されていることを、その静止画の撮影タイミングに対応する再生箇所の付近を再生している間のみ報知されるようにした。よって、動画の再生時には、それと同時撮影された静止画があれば、それを、その撮影時期と共に知ることが可能となる。しかも、その静止画をユーザーが必要とする場合のみ再生することが可能となる。よって、使い勝手が向上する。
【０１０７】
また、請求項１９の発明においては、それを用いることにより請求項１の発明を実現することができ、しかも既存する電子カメラにおいてもそれが可能となる。
【図面の簡単な説明】
【図１】本発明の第１の実施の形態を示す電子スチルカメラのブロック図である。
【図２】同電子スチルカメラの撮影モードでの動作を示すフローチャートである。
【図３】図２に続くフローチャートである。
【図４】撮影モードで記録される静止画ファイル（ａ）と、動画ファイル（ｂ）のデータ構造を示す模式図である。
【図５】電子スチルカメラによる再生モードでの動作を示すフローチャートである。
【図６】静止画及び動画の再生時における表示画面例を示す図である。
【符号の説明】
１    電子スチルカメラ
２    ＣＣＤ
３    ＤＳＰ／ＣＰＵ
６    表示装置
７    キー入力部
９    ＤＲＡＭ
１０    内蔵フラッシュメモリ
１２    メモリ・カード
１０１    静止画ファィル
１０１ｂ    静止画データ
１０１ｃ    リンク動画ファイル名
１０１ｄ    静止画撮影時間
１０２    動画ファイル
１０２ｂ    動画データ
１０２ｃ    リンク静止画ファイル名
１０２ｄ    静止画撮影時間
Ｍ１    静止画マーク
Ｍ２    動画マーク
Ｆ１〜Ｆ３    フレーム画像（動画）
Ｓ    静止画
【図１】
2004304425.tif 000003
【図２】
2004304425.tif 000004
【図３】
2004304425.tif 000005
【図４】
2004304425.tif 000006
【図５】
2004304425.tif 000007
【図６】
2004304425.tif 000008